(57)【要約】      （修正有）【課題】コンパクトに折りたたみができ軽量で持ち運びが容易であるとともに、実際の演奏時と同じ姿勢での長時間の演奏を行うことができる管楽器のポータブル消音カバーを提供する。【解決手段】折りたたみ可能なシート状の防音材料または吸音材料からなる消音器本体１と、消音器本体１に装着した取り付け、取り離し可能な複数の接合材２と、複数の接合材２間に設けた突出口３および手の出入り口４を有する。【選択図】図１
0003217021.tif 000002
【実用新案登録請求の範囲】
【請求項１】
折りたたみ可能で軽量な布状の防音または吸音材料に接着・離脱可能な接合材を装着して必要な時に袋状に組み立て、管楽器類を包み込んで吹奏音を消音する持ち運びに便利な管楽器のポータブル消音カバー。
【考案の詳細な説明】
【技術分野】
【０００１】
本考案は、管楽器用消音カバーに関するものである。
【背景技術】
【０００２】
管楽器の消音カバーは大きさや形状、重量の点から持ち運びにくい物が多く、好きな場所での練習ができ難かった。
【先行技術文献】
【特許文献】
【０００３】
【特許文献１】実用新案公報  平1―42149
【考案の概要】
【考案が解決しようとする課題】
【０００４】
特許文献１に管楽器類の消音ケースが示されているが、防音・吸音材のほかに提げ手、肩掛けベルト、取付金具、側面ポケット、開閉用ファスナー、開閉ホックなどが取り付けられているため重量が大きくなっており、通常の演奏姿勢では演奏者への負担が大きくなり、長時間の演奏が困難であった。また、ケースが楽器の形状に合わせて製作されているため、折りたたんで運搬することはできない。さらに、楽器運搬時には楽器の損傷を防ぐため頑丈な楽器保護ケースが必要であるため、別途消音ケースを運搬するのに手間がかかる。もしも保護ケースの機能も備えようとすればケース自体の重量がさらに増すという問題がある。
【課題を解決するための手段】
【０００５】
折りたたみ可能な軽量な布状の防音または吸音材料に接着・離脱可能な接合材を装着して必要な時に袋状に組み立て、管楽器類を包み込んで吹奏音を消音する持ち運びに便利な管楽器のポータブル消音カバー。
【考案の効果】
【０００６】
本考案は、不透水性材料よりなる布状材料と防音・吸音材、外被および接合・離脱可能な接合材より構成されており、提げ手、肩掛けベルト、取付金具、側面ポケット、開閉用ファスナー、開閉ホックなどが取り付けられていないため軽量であり、通常の演奏姿勢でも演奏者への負担は少なく長時間の演奏が可能である。また、楽器の形状に関係なく折りたためるためコンパクトに収納することができ持ち運びが容易である。
【図面の簡単な説明】
【０００７】
【図１】本考案の管楽器類のポータブル消音カバーの実施例を示す斜視図である。
【図２】本カバーの展開図である。
【図３】本カバー収納時の斜視図である。
【図４】本カバーの断面図である。
【考案を実施するための形態】
【０００８】
以下、この発明の管楽器類の実施の形態について説明する。この発明の実施の形態は発明の最も好ましい形態を示すものであり、この発明はこれに限定されない。
【実施例】
【０００９】
コンパクトに折り畳まれた本カバーを開いて管楽器類を包み込み、本カバーの端面に装着されている接合・離脱可能な接合材で予め番号を付けるか色分けされた箇所をそれぞれ接合することにより袋状のカバーを完成させる。楽器演奏用の両手を入れる為の挿入口の部分のみ接合材を付けずに入出口を確保する。
【００１０】
以下、添付図面に従って一実施例を説明する。１は不透水性材料よりなる布状材料と外被間に防音、吸音材が詰めてあり折りたたみが可能である。２は本カバーを立体的に形成させる為の接合・離脱可能な接合材で、カバーを形成させるために同じ符号（A~I）どうしあるいは色分けされた同色どうしを接着させる。接合材は管楽器の形状や種類によって取付位置や長さを変化させる。３は楽器の突出口、４は手の入手口。
【産業上の利用可能性】
【００１１】
この発明は、管楽器用消音カバーに適用可能であり、演奏者が実際の演奏と同じ姿勢で長時間の練習を行う事ができ、軽量でコンパクトなため持ち運びが容易であるとともに、使用材料が少ないため低コストでの製作が可能である。
【符号の説明】
【００１２】
１  消音器本体
２  接合材
３  突出口
４  手の入出口
【図１】
0003217021.tif 000003
【図２】
0003217021.tif 000004
【図３】
0003217021.tif 000005
【図４】
0003217021.tif 000006
【手続補正書】
【提出日】平成30年5月10日(2018.5.10)
【手続補正１】
【補正対象書類名】実用新案登録請求の範囲
【補正対象項目名】全文
【補正方法】変更
【補正の内容】
【実用新案登録請求の範囲】
【請求項１】
折りたたみ可能なシート状の防音材料または吸音材料からなる消音器本体と、前記消音器本体に装着した取り付け、取り離し可能な複数の接合材と、前記複数の接合材間に設けた突出口および手の出入り口を有することを特徴とする管楽器のポータブル消音カバー。
【手続補正２】
【補正対象書類名】明細書
【補正対象項目名】全文
【補正方法】変更
【補正の内容】
【考案の詳細な説明】
【技術分野】
【０００１】
本考案は、管楽器用消音カバーに関するものである。
【背景技術】
【０００２】
管楽器の消音カバーは大きさや形状、重量の点から持ち運びにくい物が多く、好きな場所での練習ができ難かった。
【先行技術文献】
【特許文献】
【０００３】
【特許文献１】実用新案公報  平1―42149
【考案の概要】
【考案が解決しようとする課題】
【０００４】
特許文献１に管楽器類の消音ケースが示されているが、防音・吸音材のほかに提げ手、肩掛けベルト、取付金具、側面ポケット、開閉用ファスナー、開閉ホックなどが取り付けられているため重量が大きくなっており、通常の演奏姿勢では演奏者への負担が大きくなり、長時間の演奏が困難であった。また、ケースが楽器の形状に合わせて製作されているため、折りたたんで運搬することはできない。さらに、楽器運搬時には楽器の損傷を防ぐため頑丈な楽器保護ケースが必要であるため、別途消音ケースを運搬するのに手間がかかる。もしも保護ケースの機能も備えようとすればケース自体の重量がさらに増すという問題がある。
【課題を解決するための手段】
【０００５】
本考案の管楽器のポータブル消音カバーは折りたたみ可能なシート状の防音材料または吸音材料からなる消音器本体と前記消音器本体に装着した取り付け、取り離し可能な複数の接合材と前記複数の接合材間に設けた突出口および手の出入り口を有している。
【考案の効果】
【０００６】
本考案は、不透水性材料よりなる布状材料と防音・吸音材、外被および接合・離脱可能な接合材より構成されており、提げ手、肩掛けベルト、取付金具、側面ポケット、開閉用ファスナー、開閉ホックなどが取り付けられていないため軽量であり、通常の演奏姿勢でも演奏者への負担は少なく長時間の演奏が可能である。また、楽器の形状に関係なく折りたためるためコンパクトに収納することができ持ち運びが容易である。                                                              
【図面の簡単な説明】
【０００７】
【図１】本考案の管楽器類のポータブル消音カバーの実施例を示す斜視図である。
【図２】本カバーの展開図である。
【図３】本カバー収納時の斜視図である。
【図４】本カバーの断面図である。
【考案を実施するための形態】
【０００８】
以下、この発明の管楽器類の実施の形態について説明する。この発明の実施の形態は発明の最も好ましい形態を示すものであり、この発明はこれに限定されない。
【実施例】
【０００９】
本考案の管楽器のポータブル消音カバーは折りたたみ可能なシート状の防音材料または吸音材料からなる消音器本体１と前記消音器本体に装着した取り付け、取り離し可能な複数の接合材２と前記複数の接合材間に設けた突出口３および手の出入り口４を有しているので、複数の接合材同士を接合させることで、消音器本体１を袋状にすることができ、管楽器は袋状消音器本体に収納し、突出口３から管楽器の演奏部を出し、手の出入り口４から消音器本体中に手を挿入して、管楽器を演奏することができる。演奏中は管楽器を包む消音器本体の開口部である突出口および手の出入り口もそれぞれ管楽器および演奏者の手でふさがれているために、消音器本体中の管楽器が発生する音が消音器本体外部に漏れにくくなっている。
【００１０】
以下、添付図面に従って一実施例を説明する。１は不透水性材料よりなる布状材料と外被間に防音、吸音材が詰めてあり折りたたみが可能である。２は本カバーを立体的に形成させる為の接合・離脱可能な接合材で、カバーを形成させるために同じ符号（A~I）どうしあるいは色分けされた同色どうしを接着させる。接合材は管楽器の形状や種類によって取付位置や長さを変化させる。３は楽器の突出口、４は手の入手口。
【産業上の利用可能性】
【００１１】
この発明は、管楽器用消音カバーに適用可能であり、演奏者が実際の演奏と同じ姿勢で長時間の練習を行う事ができ、軽量でコンパクトなため持ち運びが容易であるとともに、使用材料が少ないため低コストでの製作が可能である。
【符号の説明】
【００１２】
１  消音器本体
２  接合材
３  突出口
４  手の入出口